(57)【要約】【課題】組立構造を簡素化して組立性を向上させる。【解決手段】送風装置３１の組立時には、先ず、枠体３２の一方の側枠３２ａに設けられた軸穴に各ルーバー本体３８の回転軸３９ａを挿入し、他方の側枠３２ｂに設けられたＵ溝に各ルーバー本体３８の回転軸３９ｂを装着し、上記側枠３２ｂの係合ボス４１にルーバー軸押え３５の係合孔４０を係合させて、ルーバー軸押え３５によって回転軸３９ｂを枠体３２に回動自在に保持する。次に、各ルーバー本体３８に設けられた穴の後縁をアーム３４の溝に嵌合させて、全ルーバー本体３８の後縁部を一体に且つ回動自在に係合する。このように、送風装置３１の組み立てを各部材の係合および嵌合のみで行うことによって、組立構造を簡素化し、組立性の向上を図ることができる。【選択図】  図１０
2004293950.tif 000002
【特許請求の範囲】
【請求項１】
送風機と、この送風機からの空気の吹き出し方向を変えるルーバーと、を有する送風装置において、
上記ルーバーを、係合および嵌合によって且つ回動可能に保持する保持手段を備えたことを特徴とする送風装置。
【請求項２】
請求項１に記載の送風装置において、
上記ルーバーは、複数枚が平行に配置されており、
上記各ルーバーには、隣接するルーバーとの間隔を規制する間隔規制手段を備えたことを特徴とする送風装置。
【請求項３】
除湿の対象となる空気を吸い込むための吸込口と、蒸発器を通過する空気が流通する第１通路と、凝縮器を通過する空気が流通する第２通路と、上記第１通路を通過した空気のみまたは第１通路を通過した空気と上記第２通路を通過した空気との混合空気を吹き出す第１吹出口と、上記第２通路を通過した空気のみを吹き出す第２吹出口を有する除湿機における上記第１吹出口に取り付けられる送風装置であって、
水平ルーバーと、
上記水平ルーバーを、係合および嵌合によって且つ回動可能に保持する保持手段を備えたことを特徴とする除湿機用の送風装置。
【請求項４】
請求項３に記載の送風装置において、
上記水平ルーバーは両端に回転軸を有しており、
上記保持手段は、
上記第１吹出口に取り付けられると共に、一側には上記水平ルーバーの一方の回転軸が挿通される軸穴を有する一方、他側には上記水平ルーバーの他方の回転軸が装着される溝および係合部を有する枠体と、
上記枠体の他側に設けられた係合部に係合される被係合部を有すると共に、上記溝内に装着された回転軸を表面側から押えて保持する軸押さえ部材を含んで構成されていることを特徴とする送風装置。
【請求項５】
請求項４に記載の送風装置において、
上記枠体の他側に設けられた係合部は、断面が略楕円の柱状を有すると共に、頭部が基部より大径に形成されて、軸方向に割溝を有して成り、
上記軸押え部材に設けられた被係合部は、上記係合部の頭部よりも小径で且つ基部よりも大径の孔で成り、
上記軸押え部材は、さらに、上記被係合部が上記枠体の係合部に係合された際に上記枠体の溝を覆って、上記溝内に装着された回転軸を保持する平坦部を有していることを特徴とする送風装置。
【請求項６】
請求項３に記載の送風装置において、
上記水平ルーバーは、複数枚が平行に配置されており、
上記複数枚の水平ルーバーの後縁が回動自在に嵌合される複数の嵌合溝を有するアームを備え、
上記水平ルーバーの一方の面には、突出部を有する板状部材が立設されると共に、他方の面には、回動する際に隣接する水平ルーバーの上記突出部が摺動する摺動溝が設けられており、
上記水平ルーバーの摺動溝には、総ての水平ルーバーが上記アームを介して一方向を向いた際に上記隣接する水平ルーバーの上記突出部が収まる第１凹部と、総ての水平ルーバーが他方向を向いた際に上記隣接する水平ルーバーの上記突出部が収まる第２凹部と、上記第１凹部と第２凹部とを滑らかに繋ぐ凸曲面が設けられていることを特徴とする送風装置。
【請求項７】
請求項６に記載の送風装置において、
上記水平ルーバーの一方の面に立設された板状部材は、互いに隣接する２枚の水平ルーバー間の隙間を規制するようになっていることを特徴とする送風装置。
【発明の詳細な説明】
【０００１】
【発明の属する技術分野】
この発明は、除湿機の空気吹出口等に用いられる送風装置に関する。
【０００２】
【従来の技術】
一般に、除湿機等の空気調和機においては、空気吹出口に風向調整装置が取り付けられている（例えば、特許文献１，特許文献２参照）。特許文献１に開示された風向調整装置は、複数枚のルーバーと各ルーバーを連動させるリンクとを備えている。上記複数枚のルーバーは、等間隔に平行に配列されており、支軸によって空気吹出口やパネルに回動自在に枢支されている。
【０００３】
そして、各ルーバーをリンクが貫通し、貫通部においてピンによって枢着されており、このピンが枢着点となっている。また、上記ルーバーの一つにはレバーが付いており、このレバーを操作することによって総てのルーバーを同時に同じ方向に回動させるようになっている。
【０００４】
尚、詳述しないが、上記特許文献２に開示されたものも、複数枚のルーバーを連動させるロッドが各ルーバーの側方に配置され、各ルーバーの側端部で爪部によって枢着されている点を除いて、特許文献１に開示されたものと同様に構成されている。そして、上記ロッドを上下操作することによって総てのルーバーを同時に同じ方向に回動させる。
【０００５】
【特許文献１】
特開平１‐１８１０３５号公報
【特許文献２】
特開平８‐２８９０６号公報
【０００６】
【発明が解決しようとする課題】
しかしながら、上記特許文献１や特許文献２に開示された従来の風向調整装置においては、レバー操作によって、総てのルーバーを左右方向に回動させる構成になっているため、上記支軸およびリンクに対する各ルーバーの位置決め固定は螺子やピンによって行う必要がある。したがって、組立構造が複雑であって組立し難いという問題がある。
【０００７】
そこで、この発明の目的は、組立構造を簡素化して組立性を向上させた送風装置を提供することにある。
【０００８】
【課題を解決するための手段】
上記目的を達成するため、この発明の送風装置は、送風機と、この送風機からの空気の吹き出し方向を変えるルーバーとを有すると共に、上記ルーバーを係合および嵌合によって且つ回動可能に保持する保持手段を備えている。
【０００９】
上記構成によれば、保持手段によって、ルーバーが係合および嵌合によって且つ回動可能に保持されている。すなわち、本送風装置は、螺子やピン等を用いることなく、係合および嵌合のみによって組み立てることができる。したがって、組立構造が簡素化されて、組立性の向上が図られる。
【００１０】
また、１実施例の送風装置では、上記ルーバーは複数枚が平行に配置されており、上記各ルーバーには隣接するルーバーとの間隔を規制する間隔規制手段を備えている。
【００１１】
この実施例によれば、平行に配置された複数枚のルーバーが一方向あるいは他方向を向いた場合でも、各ルーバー間には間隔が形成されて送風機からの空気が吹き出される。
【００１２】
また、この発明の送風装置は、除湿の対象となる空気を吸い込むための吸込口と、蒸発器を通過する空気が流通する第１通路と、凝縮器を通過する空気が流通する第２通路と、上記第１通路を通過した空気のみまたは第１通路を通過した空気と上記第２通路を通過した空気との混合空気を吹き出す第１吹出口と、上記第２通路を通過した空気のみを吹き出す第２吹出口を有する除湿機における上記第１吹出口に取り付けられると共に、水平ルーバーと、この水平ルーバーを係合および嵌合によって且つ回動可動に保持する保持手段を備えている。
【００１３】
上記構成によれば、除湿機の第１吹出口に取り付けられる送風装置には、保持手段によって、水平ルーバーが係合および嵌合によって且つ回動可能に保持されている。すなわち、除湿機用の本送風装置は、螺子やピン等を用いることなく、係合および嵌合のみによって組み立てることができる。したがって、組立構造が簡素化されて、組立性の向上が図られる。
【００１４】
また、１実施例の送風装置では、上記水平ルーバーの両端には回転軸を設け、上記保持手段を、上記第１吹出口に取り付けられると共に，一側には上記水平ルーバーの一方の回転軸が挿通される軸穴を有する一方，他側には上記水平ルーバーの他方の回転軸が装着される溝および係合部を有する枠体と、上記枠体の他側に設けられた係合部に係合される被係合部材を有すると共に，上記溝内に装着された回転軸を表面側から押えて保持する軸押さえ部材を含んで構成している。
【００１５】
この実施例によれば、枠体における一側の軸穴に上記水平ルーバーの一方の回転軸が挿通される一方、他側の溝に上記水平ルーバーの他方の回転軸が装着される。そして、軸押さえ部材の被係合部材が上記枠体の他側に設けられた係合部に係合されることによって、上記溝内に装着された回転軸が表面側から押えられて保持される。こうして、上記水平ルーバーは、上記枠体に軸押さえ部材を係合させるだけの簡単な動作で上記枠体に回動自在に組み付けられる。
【００１６】
また、１実施例の送風装置では、上記枠体の他側に設けられた係合部は、断面が略楕円の柱状を有すると共に，頭部が基部より大径に形成され，軸方向に割溝を有して成り、上記軸押え部材に設けられた被係合部は、上記係合部の頭部よりも小径で且つ基部よりも大径の孔で成り、上記軸押え部材は、さらに上記被係合部が上記枠体の係合部に係合された際に上記枠体の溝を覆って上記溝内に装着された回転軸を保持する平坦部を有している。
【００１７】
この実施例によれば、上記枠体の他側に設けられた係合部は、軸方向に割溝を有して、頭部が基部より大径に形成されている。したがって、上記係合部の頭部よりも小径で且つ基部よりも大径の孔で成る上記軸押え部材の被係合部が上記係合部に位置合わせされて、上記軸押さえ部材が枠体に押し付けられることによって、上記係合部の弾性によって上記被係合部が係合部に簡単に且つ確実に係合される。
【００１８】
また、１実施例の送風装置では、上記水平ルーバーは複数枚が平行に配置されており、上記複数枚の水平ルーバーの後縁が回動自在に嵌合される複数の嵌合溝を有するアームを備え、上記水平ルーバーの一方の面には，突出部を有する板状部材が立設されると共に，他方の面には，回動する際に隣接する水平ルーバーの上記突出部が摺動する摺動溝が設けられており、上記水平ルーバーの摺動溝には，総ての水平ルーバーが上記アームを介して一方向を向いた際に上記隣接する水平ルーバーの上記突出部が収まる第１凹部と，総ての水平ルーバーが他方向を向いた際に上記隣接する水平ルーバーの上記突出部が収まる第２凹部と，上記第１凹部と第２凹部とを滑らかに繋ぐ凸曲面が設けられている。
【００１９】
この実施例によれば、平行に配置された複数枚の上記水平ルーバーを連動させるためのアームは、その嵌合溝に各水平ルーバーの後縁を回動自在に嵌合させることによって簡単に取り付けられる。さらに、各水平ルーバーが一方向を向いた際には、各水平ルーバーの他方の面に設けられた摺動溝の第１凹部内に、隣接する水平ルーバーの一方の面に設けられた板状部材の突出部が収まって各水平ルーバーの位置が決まる。同様に、各水平ルーバーが他方向を向いた際には、隣接する水平ルーバーの上記突出部が凸曲面を越えて第２凹部内に収まって各水平ルーバーの位置が決まる。
【００２０】
また、１実施例の送風装置では、上記水平ルーバーの一方の面に立設された板状部材は、互いに隣接する２枚の水平ルーバー間の隙間を規制するようになっている。
【００２１】
この実施例によれば、平行に配置された複数枚の水平ルーバーが連動して一方向あるいは他方向を向いた場合でも、各水平ルーバー間には間隔が形成されて除湿後の空気が吹き出される。
【００２２】
【発明の実施の形態】
以下、この発明を図示の実施の形態により詳細に説明する。図１は、本実施の形態における送風装置が搭載される除湿機の正面図である。また、図２は上記除湿機の背面図であり、図３は平面図であり、図４は右側面図である。
【００２３】
図１乃至図４において、１は除湿機本体（以下、単に本体と言う）であり、横長タイプであって奥行きが小さく、コンパクトな構造になっている。そして、本体１の前面上方部には第１吹出口２が設けられ、本体１の背面中央部には吸込口３が設けられ、本体１の右側面下方にはドレンタンク４が設けられ、本体１の上面には操作部５と第２吹出口６と把手７が設けられている。尚、把手７は、本体１を持ち運ぶためのものである。
【００２４】
図５は本体１の内部背面図である。また、図６は本体１の縦断面図である。また、図７は本体１の横断面図であり、図６は図７におけるａ‐ａ’矢視断面図に相当する。また、図８は本体１の内部平面図である。図５乃至図８において、本体１の内部は、仕切板８によって上方室と下方室との２室に区画され、さらに、上記上方室内に立設された中仕切板９，１０によって前後隣り合わせの蒸発器室Ａと凝縮器室Ｂと第２送風機室Ｃとに仕切られている。また、上記下方室内に立設された下仕切板１１によって、左右隣り合わせの機械室Ｄとタンク室Ｅとに仕切られている。
【００２５】
さらに、上記蒸発器室Ａと凝縮器室Ｂの上方には、上仕切板１２で仕切られて蒸発器室Ａからの空気を吸い込む第１送風機室Ｆが設けられている。そして、第１送風機室Ｆには、後に詳述するように、第２送風機室Ｃからの空気の取り入れ口（第２送風機室Ｃの吹出口）と空気の流れを変えるダンパー機構とが設けられている。
【００２６】
上記蒸発器室Ａには、上記本体１の背面部に設けられた吸込口３の蒸発器室側吸込口３ａから室内の空気が吸い込まれ、蒸発器１４内を通過しながら熱交換（冷却・減湿）される。そして、蒸発器室Ａに吸い込まれた熱交換後の空気は、中仕切板９に沿って上方に進み、上仕切板１２に設置されているシロッコファンで成る第１送風機１５によって吸上げられ、本体１の前面に設けられた第１吹出口２から室内に吹出される。
【００２７】
上記蒸発器１４の周囲は、後方は開放されており、側面から前面かけては、凝縮器１６側に広がった形状を有する中仕切板９と、この中仕切板９と一体に形成されると共に上部には第１送風機１５側に向けて大きな開口部（図示せず）を有する中仕切側板１７とで、仕切られている。その際に、中仕切側板１７は外観部品を構成してはおらず、外観部品は別に構成されている。そして、中仕切側板１７と上記外観部品である側板１ａとの間には空間Ｇが形成されており、この空間Ｇによって断熱効果が得られる。尚、蒸発器１４によって冷却・除湿された空気が通る通路を形成する中仕切板９や中仕切側板１７の外側には、結露水の水滴が付着するおそれがある。しかしながら、万が一結露水の水滴が付着して落下したとしても、本体１の内部に設けられた仕切板８の上に落下してドレンタンク４に排出されるので、本体１の外部へは影響はないのである。
【００２８】
上記凝縮器室Ｂには、上記本体１の背面部に設けられた吸込口３の凝縮器室側吸込口３ｂから室内空気が吸い込まれ、凝縮器１６を通過しながら熱交換（加熱）される。そして、凝縮器１６を通過した空気は、凝縮器１６の前面側に設けられたターボファンで成る第２送風機１８のモータ側から吸い込まれ、第２送風機１８によって上仕切板１２に設けられた吹出口１９から上方の第１送風機１５に隣接して設けられた第２吹出口６への通路に送り出される。
【００２９】
上記機械室Ｄには、圧縮機２０等の冷凍用機器および電気品箱（図示せず）が内蔵されている。一方、タンク室Ｅには、ドレンタンク４が外部から出し入れ可能に収容されている。
【００３０】
上記仕切板８には、上記蒸発器１４および凝縮器１６からのドレンをドレンタンク４に排出する排出口２１と、排出口２１を開閉する弁機構２２とが、形成されている。この弁機構２２は、ドレンタンク４の出し入れに連動して排出口２１を開閉する。
【００３１】
上記蒸発器室Ａおよび凝縮器室Ｂの上方に設けられた第１送風機室Ｆには、上述したように第１送風機１５が設置されている。この第１送風機１５の回転によって、蒸発器室側吸込口３ａから室内の空気が吸い込まれ、蒸発器１４によって熱交換された後、第１吹出口２から本体１の外部に放出される。また、第２送風機室Ｃには、第２送風機１８が設置されている。この第２送風機１８の回転によって、凝縮器室側吸込口３ｂから室内の空気が吸い込まれ、凝縮器１６によって熱交換された後、第２吹出口６から本体１の外部に放出される。つまり、空気の通路は、蒸発器室側吸込口３ａ→蒸発器１４→第１送風機１５→第１吹出口２で成る第１通路と、凝縮器室側吸込口３ｂ→凝縮器１６→第２送風機１８→第２吹出口６で成る第２通路と、の２つの通路が形成されるのである。
【００３２】
そして、図８に示すように、上記第１送風機室Ｆと第２送風機室Ｃにおける上仕切板１２よりも上側の室とを仕切る壁２３には、ダンパー機構１３が設置されている。このダンパー機構１３は、第１送風機室Ｆと第１吹出口２とを連通させる側と、第１送風機室Ｆと第２送風機室Ｃの上仕切板１２よりも上部とを連通させる側とに切り換るようになっている。第１送風機１５は第１送風機室Ｆ内に水平に設置され、モータは第１送風機１５の上方側に配置されている。そして、第１送風機１５を通過した空気は、壁２３およびダンパー機構１３に沿って流れ、第１吹出口２から蒸発器１４で除湿された空気が放出されるのである。
【００３３】
また、上記蒸発器室側吸込口３ａから第１吹出口２までの第１通路と、凝縮器室側吸込口３ｂから第２吹出口６までの第２通路とは、第１吹出口２近傍で互いに隣接している。そして、この隣接領域にダンパー機構１３が設置されており、このダンパー機構１３で上記第１通路と第２通路とを連通させることによって、上記第１通路からの蒸発器１４を通過した空気を上記第２通路からの凝縮器１６を通過した空気に合流させて第２吹出口６から放出させることができる。こうして、上記凝縮器１６を通過した空気の温度を下げて室内に放出することができるのである。
【００３４】
図９は、上記本体１上部における第１吹出口２と第１送風機１５とを含む縦断面を示す。図９に示すように、第１吹出口２には、吹き出される空気の向きを変える送風装置（ルーバー）３１が装着されている。送風装置３１は、図１０に示すように、枠体３２，水平ルーバー３３，アーム３４およびルーバー軸押え３５で概略構成されている。尚、図１０（ａ）は正面図であり、図１０（ｂ）は図１０（ａ）におけるｂ矢視側面図である。
【００３５】
図１１は，上記枠体３２の正面図（図１１（ａ））および側面図（図１１（ｂ））と、図１１（ａ）におけるｃ‐ｃ’矢視断面図（図１１（ｃ））とを示す。枠体３２は略長方形を有しており、一方の側枠３２ａには水平ルーバー３３を構成する各ルーバー本体３８の回転軸３９ａ装入用の軸穴３６が設けられ、他方の側枠３２ｂには各ルーバー本体３８の回転軸３９ｂ装着用のＵ溝３７が設けられている。側枠３２ｂの外面には、Ｕ溝３７内に装着されたルーバー本体３８の回転軸３９ｂを覆って保持するルーバー軸押え３５の係合孔４０に係合する２個の係合ボス４１が設けられている。この係合ボス４１は、先端部の直径がそれ以外の直径よりも僅かに大きく、横断面は楕円形を成し、中央部は軸方向に割溝が形成されて弾性を有している。
【００３６】
また、上記枠体３２の上枠３２ｃの内面には、図中下端を頂部とする略三角形を成す垂直板３２ｄが設けられており、ルーバー本体３８が上方へ向く際のストッパーとして機能するようになっている。
【００３７】
上記ルーバー本体３８には、上部ルーバー本体３８ａと中間ルーバー本体３８ｂと下部ルーバー本体３８ｃの３種類がある。図１２は、上部ルーバー本体３８ａの平面図（図１２（ａ）），正面図（図１２（ｂ）），底面図（図１２（ｃ））および断面図（図１２（ｄ））を示す。図１３は、中間ルーバー本体３８ｂの平面図（図１３（ａ）），正面図（図１３（ｂ）），底面図（図１３（ｃ））および断面図（図１３（ｄ））を示す。図１４は、下部ルーバー本体３８ｃの平面図（図１４（ａ）），正面図（図１４（ｂ）），底面図（図１４（ｃ））および断面図（図１４（ｄ））を示す。
【００３８】
上記上部ルーバー本体３８ａは、図１２（ａ）および図１２（ｃ）に示すように前方に向って湾曲した扇形の平面形状を有しており、両端部には回転軸３９ａ，３９ｂが形成されている。また、後方にはアーム３４を係止するための穴４２が３個設けられており、アーム３４が挿入される側の後縁の断面は円弧を成している。さらに、裏面には、隣接して下側に配置される中間ルーバー本体３８ｂとの間隔を確保するために中間ルーバー本体３８ｂに設けられる板状部材４５（図１３（ｂ）参照）の突出部が摺動する摺動溝４３が４個配列されている。この摺動溝４３は、図１２（ｄ）に示すように、円弧状に窪んだの２つの凹部４３ａ，４３ｃが凸の曲面４３ｂによって滑かに繋がって形成されている。
【００３９】
上記中間ルーバー本体３８ｂは、図１３（ａ）および図１３（ｃ）に示すように前方に向って湾曲した扇形の平面形状を有しており、両端部には回転軸３９ａ，３９ｂが形成されている。また、後方にはアーム３４を係止するための穴４４が３個設けられており、アーム３４が挿入される側の後縁の断面は円弧を成している。さらに、表面には、隣接して上側に配置される上部ルーバー本体３８ａまたは中間ルーバー本体３８ｂとの間隔確保のための板状部材４５が４個設けられている。
この板状部材４５は、図１３（ｂ）および図１３（ｄ）に示すように、板状を成して立設され、中間部には円弧状に突出した突出部４５ａが設けられている。一方、裏面には、隣接して下側に配置される中間ルーバー本体３８ｂあるいは下部ルーバー本体３８ｃとの間隔を確保するために、中間ルーバー本体３８ｂあるいは下部ルーバー本体３８ｃに設けられる板状部材４５，４８（図１４（ｂ）参照）の突出部が摺動する摺動溝４６が４個配列されている。この摺動溝４６は、図１３（ｄ）に示すように、円弧状に窪んだの２つの凹部４６ａ，４６ｃが凸の曲面４６ｂによって滑かに繋がって形成されている。
【００４０】
上記下部ルーバー本体３８ｃは、図１４（ａ）および図１４（ｃ）に示すように前方に向って湾曲した扇形の平面形状を有しており、両端部には回転軸３９ａ，３９ｂが形成されている。また、後方にはアーム３４を係止するための穴４７が３個設けられており、アーム３４が挿入される側の後縁の断面は円弧を成している。さらに、表面には、隣接して上側に配置される中間ルーバー本体３８ｂとの間隔を確保するための板状部材４８が４個設けられている。この板状部材４８は、図１４（ｂ）および図１４（ｄ）に示すように、板状を成して立設され、中間部には円弧状に突出した突出部４８ａが設けられている。一方、裏面には、枠体３２の下枠３２ｅとの間隔を確保するために、垂直板４９が４個配列されている。この垂直板４９は、図１４（ｄ）に示すように、板状を成して円弧状に形成されている。
【００４１】
上記アーム３４は、上記水平ルーバー３３の向きを変えるめに個々のルーバー本体３８を連動して可動させるものであり、図１５に示すように、所定間隔毎に円弧状の嵌合溝３４ａがルーバー本体３８の数（本実施の形態の場合には６個）分設けられている。このアーム３４は、円弧状の嵌合溝３４ａが個々のルーバー本体３８における穴４２，４４，４７の後縁に嵌合して、図１０（ｂ）に示すように、総てのルーバー本体３８を連動させる。それと同時に、各ルーバー本体３８の間隔を確保する。
【００４２】
上記構成を有する送風装置３１は以下のような手順によって組み立てられる。すなわち、先ず、枠体３２の一方の側枠３２ａに設けられた軸穴３６に各ルーバー本体３８の回転軸３９ａが挿入され、他方の側枠３２ｂに設けられたＵ溝３７に各ルーバー本体３８の回転軸３９ｂが装着される。そして、側枠３２ｂの外面に設けられた２個の係合ボス４１にルーバー軸押え３５の係合孔４０の位置を合わせてルーバー軸押え３５が押されることによって、係合ボス４１に係合孔４０が係合される。こうして、回転軸３９ｂがルーバー軸押え３５の内側平坦面によって覆われてＵ溝３７内に保持され、各ルーバー本体３８が枠体３２に回動自在に取り付けられる。すなわち、枠体３２とルーバー軸押え３５とによって、上記保持手段を構成するのである。
【００４３】
最後に、上記各ルーバー本体３８の背後から、穴４２，４４，４７にアーム３４の嵌合溝３４ａの位置を合わせてアーム３４が押し付けられることによって、各ルーバー本体３８における穴４２，４４，４７の後縁がアーム３４の嵌合溝３４ａに嵌合される。こうして、総てのルーバー本体３８の後縁部が一体に係合されて本送風装置３１が完成する。その場合に、アーム３４の嵌合溝３４ａは円弧状を成しており、この嵌合溝３４ａに嵌合される各ルーバー本体３８における穴４２，４４，４７の後縁の断面は円弧を成している。したがって、総てのルーバー本体３８の後縁は嵌合溝３４ａ内で滑らかに回転でき、１枚のルーバー本体３８の上下動が、アーム３４を介して他のルーバー本体３８に伝えられ、全ルーバー本体３８が連動して上下方向に揺動するのである。
【００４４】
このように、本実施の形態における送風装置３１は、上記枠体３２のＵ溝３７に各ルーバー本体３８の回転軸３９ｂを装着すると共に、枠体３２の係合ボス４１にルーバー軸押え３５の係合孔４０を係合し、ルーバー本体３８における穴４２，４４，４７の後縁にアーム３４の嵌合溝３４ａを嵌合させるだけで、螺子やピンを一切使用することなく組み立てることができる。したがって、組み立が容易であり、加工性を向上させることができるのである。
【００４５】
上述のようにして組み立てられた送風装置３１は、図１に示す除湿機本体１におけるケーシングの第１吹出口２の個所に取り付け固定されるのである。
【００４６】
こうして、上記除湿機本体１における第１吹出口２に取り付けられた送風装置３１において、下部ルーバー本体３８ｃの握り部５０を持って下部ルーバー本体３８ｃを上下させると、それに連れて回転軸３９よりも後側に在る下部ルーバー本体３８ｃの後縁も上下動し、アーム３４を介して他のルーバー本体３８も上下動する。こうして、全ルーバー本体３８が一斉に上下動するのである。
【００４７】
その場合に、上記中間ルーバー本体３８ｂの表面に設けられている板状部材４５の突出部４５ａおよび下部ルーバー本体３８ｃの表面に設けられている板状部材４８の突出部４８ａは、上側に位置している上部ルーバー本体３８ａの裏面に設けられている摺動溝４３あるいは中間ルーバー本体３８ｂの裏面に設けられている摺動溝４６内に位置して摺動溝４３，４６に沿って摺動するようになっている。
したがって、全ルーバー本体３８が一斉に下向きになった場合には、隣接して上下に配置された２個の中間ルーバー本体３８ｂを例に説明すれば、図１６（ａ）に示すように、下側に位置する中間ルーバー本体３８ｂの突出部４５ａが上側に位置する中間ルーバー本体３８ｂにおける摺動溝４６の凸部４６ｂを乗り越えて前方の凹部４６ａ内に収まり、各ルーバー本体３８における下向きの位置が決まる。
【００４８】
同様に、全ルーバー本体３８が一斉に上向きになった場合には、図１６（ｂ）に示すように、下側に位置する中間ルーバー本体３８ｂの突出部４５ａが上側に位置する中間ルーバー本体３８ｂにおける摺動溝４６の凸部４６ｂを乗り越えて後方の凹部４６ｃ内に収まり、各ルーバー本体３８における上向きの位置が決まるのである。
【００４９】
以上のごとく、本実施の形態における送風装置３１は、上記枠体３２に対するルーバー本体３８およびアーム３４の装着を部材の係合および嵌合のみによって行うようにしている。したがって、構成部品を少なくし、組立構造を簡素化にすることによって、組立性の向上を図ることができるのである。
【００５０】
【発明の効果】
以上より明らかなように、この発明の送風装置には、保持手段によって、ルーバーが係合および嵌合によって回動可能に保持されている。したがって、本送風装置は、螺子やピン等を用いることなく、係合および嵌合のみによって組み立てることができる。すなわち、この発明によれば、送風装置の組立構造を簡素化して、組立性の向上を図ることができる。
【図面の簡単な説明】
【図１】この発明の送風装置が搭載された除湿機における正面図である。
【図２】図１に示す除湿機の背面図である。
【図３】図１に示す除湿機の平面図である。
【図４】図１に示す除湿機の右側面図である。
【図５】図１〜図４における本体の内部背面図である。
【図６】上記本体の縦断面図である。
【図７】上記本体の横断面図である。
【図８】上記本体の内部平面図である。
【図９】上記本体上部における第１吹出口と第１送風機とを含む縦断面図である。
【図１０】図９における送風装置の組立図である。
【図１１】図１０における枠体の構成を示す図である。
【図１２】図１０における上部ルーバー本体の構成を示す図である。
【図１３】図１０における中間ルーバー本体の構成を示す図である。
【図１４】図１０における下部ルーバー本体の構成を示す図である。
【図１５】図１０におけるアームの構成を示す図である。
【図１６】図１２〜図１４に示すルーバー本体の動作説明図である。
【符号の説明】
１…本体、
２…第１吹出口、
３１…送風装置、
３２…枠体、
３２ａ，３２ｂ…側枠、
３３…水平ルーバー、
３４…アーム、
３５…ルーバー軸押え、
３６…軸穴、
３７…Ｕ溝、
３８ａ…上部ルーバー本体、
３８ｂ…中間ルーバー本体、
３８ｃ…下部ルーバー本体、
３９ａ，３９ｂ…回転軸、
４０…係合孔、
４１…係合ボス、
４２，４４，４７…穴、
４３，４６…摺動溝、
４３ａ，４３ｃ，４６ａ，４６ｃ…凹部、
４３ｂ，４６ｂ…凸の曲面（凸部）、
４５，４８…板状部材、
４５ａ，４８ａ…突出部、
４９…垂直板、
５０…握り部。
【図１】
2004293950.tif 000003
【図２】
2004293950.tif 000004
【図３】
2004293950.tif 000005
【図４】
2004293950.tif 000006
【図５】
2004293950.tif 000007
【図６】
2004293950.tif 000008
【図７】
2004293950.tif 000009
【図８】
2004293950.tif 000010
【図９】
2004293950.tif 000011
【図１０】
2004293950.tif 000012
【図１１】
2004293950.tif 000013
【図１２】
2004293950.tif 000014
【図１３】
2004293950.tif 000015
【図１４】
2004293950.tif 000016
【図１５】
2004293950.tif 000017
【図１６】
2004293950.tif 000018